(57)【要約】プラズマを用いて複数の基板（２６）を処理するプラズマ処理装置（１０）。プラズマ処理装置の処理チャンバ（１２）は、通常は垂直方向に向いた少なくとも一対の電極（２４）を有し、この一対の電極（２４）間に、プラズマ処理のために基板（２６）が配置される。各電極（２４）は、水平方向のプロセスガス及びプラズマの流れを可能にする穿孔板（４２、５０）を有し、これによりプラズマ均一性が向上する。ポリマー基板（２６）に付着しているとともにポリマー基板（２６）から突出している、バリ又は穿孔カス等の薄いポリマー領域を除去するのに有効な処理方法が規定される。
2007514275.tif 000002
【特許請求の範囲】
【請求項１】
プロセスガスから生成されるプラズマを用いて基板（２６）を処理する装置（１０）であって、
処理空間（１６）、該処理空間（１６）を排気する真空ポート（１９）、および前記処理空間（１６）内にプロセスガスを導入するガスポート（２１）を有する処理チャンバ（１２）、
前記処理空間（１６）内で前記プロセスガスからプラズマを生成することが可能なプラズマ励起源（２２）、および
前記プラズマ励起源（２２）と電気的に結合する複数の電極（２４）であって、前記プラズマを用いて前記基板（２６）を処理するための前記処理空間（１６）内で、前記電極（２４）間に対応する複数の処理領域（３８）を画定するように配置され、また、前記電極（２４）の各々は、前記電極（２４）の各々を介して前記プロセスガス及び前記プラズマを送るように機能する、少なくとも１つの穿孔板（４２、５０）を有する複数の電極（２４）、
を備えることを特徴とする装置。
【請求項２】
前記穿孔板（４２、５０）は表面領域を画定し、該表面領域は、複数の孔（４３、５１）及び表面領域の２０％未満の開口領域を有する、請求項１に記載の装置。
【請求項３】
前記電極（２４）の少なくとも１つは複数の前記穿孔板（４２、５０）を有し、前記穿孔版の各々は表面領域を画定し、該表面領域は複数の孔（４３、５１）及び表面領域の２０％未満の開口領域を有する請求項１に記載の装置。
【請求項４】
前記穿孔板（４２、５０）の少なくとも２つは異なる開口領域を有する、請求項３に記載の装置。
【請求項５】
前記電極（２４）の各々は、前記穿孔板（４２、５０）を保持する枠（４４）と、冷媒液の流れを受け入れるようになっている、前記枠（４４）内の内部通路（４８）とを有する、請求項１に記載の装置。
【請求項６】
さらに、前記処理チャンバ（１２）の内部に配置される複数の基板ホルダ（３３、５２）を有し、該基板ホルダ（３３、５２）の各々は、前記処理領域（３８）の１つに配置され、前記基板（２６）の少なくとも１つを支持する、請求項１に記載の装置。
【請求項７】
前記基板ホルダ（５２）の各々は、前記基板（２６）の外周に挟持力を加えるように構成される第１の枠及び第２の枠（５４、５６）を有し、該第１の枠及び該第２の枠（５４、５６）は、前記基板（２６）をプラズマに曝すために、隣接する一対の前記電極（２４）間の前記基板ホルダ（５２）内に窓が画定されている、請求項６に記載の装置。
【請求項８】
前記基板ホルダ（３３、５２）の各々は、隣接する一対の前記電極（２４）の一方へ突出する第１の複数のアラインメントポスト（９０）と、前記隣接する一対の電極（２４）の他方へ突出する第２の複数のアラインメントポスト（９２）とを有し、該アラインメントポスト（９０、９２）は、前記隣接する一対の電極（２４）の各々によって画定される面に対して実質的に平行な面内に前記基板（２６）を位置決めするような寸法となっている、請求項６に記載の装置。
【請求項９】
前記基板ホルダ（３３、５２）及び前記基板（２６）は、前記処理チャンバ（１２）の外側の複数の装填位置から、前記処理チャンバ（１２）の内側の前記処理領域（３８）に移行可能である、請求項６に記載の装置。
【請求項１０】
前記電極（２４）の各々は、導電コアと、該コアを被覆する非金属層（５１）とを有する、請求項１に記載の装置。
【請求項１１】
前記電極（２４）の各々は、前記穿孔板（４２、５０）を囲む枠（４４）を有し、該枠（４４）及び前記穿孔板（４２、５０）は、前記電極（２４）の領域にわたって均一な厚みを有する、請求項１に記載の装置。
【請求項１２】
前記電極（２４）の各々は、該電極（２４）の各々を介して前記プロセスガス及び前記プラズマを送るように各々構成される複数の穿孔板（４２、５０）を有する、請求項１に記載の装置。
【請求項１３】
前記電極（２４）は、前記処理領域（３８）を画定するように側面の位置関係を有する実質的に平行な面に配置される、請求項１に記載の装置。
【請求項１４】
基板（２６）をプラズマ処理する方法であって、
処理チャンバ（１２）の内部の一対の電極（２４）間に画定された処理領域（３８）内に前記基板（２６）を支持する工程、
前記処理チャンバ（１２）内にプロセスガスを導入する工程、
前記一対の電極（２４）を励起し、前記処理チャンバ（１２）内で前記プロセスガスからプラズマを発生させる工程、及び
前記電極（２４）の各々の多孔質部分（４２、５０）を介して、前記処理領域（３８）の外側の位置から、前記電極（２４）の一方と前記基板（２６）との間に各々画定される前記処理領域（３８）の内側の一対の位置へ、前記プロセスガス及び前記プラズマの流れを導く工程、
を有する方法。
【請求項１５】
さらに、基板ホルダ（３３、５２）により前記一対の電極（２４）間に前記基板（２６）を支持する工程、及び
前記プラズマに曝されている間、前記基板ホルダ（３３、５２）及び前記基板（２６）を冷却する工程、
を有する、請求項１４に記載の方法。
【請求項１６】
前記電極（２４）の各々の前記多孔質部分は、前記処理領域（３８）の外側の位置と前記処理領域（３８）の内側の位置の一方との間の穿孔板（４２、５０）であり、前記電極（２４）を介して前記プロセスガス及び前記プラズマの流れを導く工程は、
前記電極（２４）の各々の前記穿孔板（４２、５０）を介して前記プロセスガス及び前記プラズマの流れを送る工程をさらに含む、請求項１４に記載の方法。
【請求項１７】
ポリマー基板（２６）から突出する薄い付着ポリマー領域を除去する方法であって、
前記ポリマー基板（２６）を保持する処理チャンバ（１２）にプロセスガスを供給する工程であって、該プロセスガスは、酸素及び三フッ化窒素を含有するガス混合物を含み、三フッ化窒素は、該ガス混合物の約１０容量パーセント以下で含まれる、プロセスガスを供給する工程、
前記プロセスガスからプラズマを発生させる工程、及び
前記薄い付着ポリマー領域を除去するのに有効な時間、前記ポリマー基板（２６）を前記プラズマに曝す工程、
を有する方法。
【請求項１８】
前記プラズマを発生させる工程は、さらに、
前記プロセスガスに４０ｋＨｚで約４，０００ワット〜約８，０００ワットの範囲で電力を送る工程、
をさらに有する、請求項１７に記載の方法。
【請求項１９】
さらに、周囲温度を上回るプロセス温度に前記ポリマー基板（２６）を加熱する工程
を有する、請求項１７に記載の方法。
【請求項２０】
前記ポリマー基板（２６）を加熱する工程は、さらに、
約３０℃〜約９０℃の範囲のプロセス温度に前記ポリマー基板（２６）を加熱する工程
を有する、請求項１９に記載の方法。
【請求項２１】
前記ポリマー基板（２６）を加熱する工程は、さらに、
基板ホルダ（５２）との熱接触状態で前記ポリマー基板（２６）を支持する工程、及び
前記基板ホルダ（５２）を冷媒流により冷却し、前記プラズマから前記ポリマー基板（２６）へ伝導される熱を除去する工程、
を有する、請求項１９に記載の方法。
【請求項２２】
前記プラズマを生成する工程は、さらに、
一対の電極（２４）間に画定された処理領域（３８）内に前記ポリマー基板（２６）を配置する工程、及び
前記処理領域（３８）に前記一対の電極（２４）内の各々の穿孔板（４２、５０）を介して前記プラズマ及び前記プロセスガスを送る工程、
を有する、請求項１７に記載の方法。
【請求項２３】
さらに、前記電極（２４）を冷媒流により冷却し、前記電極（２４）から前記ポリマー基板（２６）に伝導された熱を減少させる工程、
を有する、請求項２２に記載の方法。
【請求項２４】
前記ガス混合物は、約５容量パーセント〜約１０容量パーセントの三フッ化窒素、及び残りの酸素から成る、請求項１７に記載の方法。
【請求項２５】
前記薄い付着ポリマー領域は、前記プラズマへ曝された後に前記ポリマー基板（２６）上に残渣を残し、さらに、
三フッ化窒素が前記プロセスガスの約９０容量パーセント以上で含まれるように前記ガス混合物を変化させる工程、及び
前記残渣を除去するのに有効な時間、前記ポリマー基板（２６）を前記プラズマに曝す工程、
を有する、請求項１７に記載の方法。
【請求項２６】
前記ガス混合物は、約９０容量パーセント〜約９５容量パーセントの三フッ化窒素、及び残りの酸素から成る、請求項２５に記載の方法。
【請求項２７】
前記ガス混合物は、前記プラズマを消失させることなく変化する、請求項２５に記載の方法。
【発明の詳細な説明】
【技術分野】
【０００１】
本発明は、プラズマ処理に関し、より詳細には、基板を処理するように構成されるプラズマ処理装置に関する。
【０００２】
［関連出願の相互参照］
本願は、２００３年１０月２８日に出願の米国仮特許出願第６０／５１５，０３９号の利益を主張するものであり、その開示は、その全体を参照により本明細書に援用する。
【背景技術】
【０００３】
プラズマ処理は、集積回路、電子用パッケージ、及びプリント回路基板に関係する用途で使用される基板の表面特性を変えるために一般的によく用いられている。特に、電子用パッケージでは、例えば、層間剥離不良及びボンド不良をなくし、配線結合強度を改善し、回路基板のチップのボイドのないアンダーフィルを保証し、酸化物を除去し、ダイ付着を強化し、かつ、ダイ封止の密着を改善するために、表面活性化及び／又は表面清浄度を高めるために、プラズマ処理が使用される。
【０００４】
通常、プラズマ処理装置には、１つ又は複数の基板が配置され、各基板の表面は、発生したプラズマ種に曝される。原子の最も外側の表面層は、物理的スパッタリング、化学的スパッタリング、及びプラズマにより促進される化学反応によって除去される。物理的又は化学的作用を使用して、密着性といった特性を改善するように表面を条件づけし、異質な表面層を選択的に除去するか、又は基板の表面から不要な汚染物質を除去することができる。
【０００５】
複数の大きな材料板の両側がプラズマ処理される、従来のバッチプラズマ処理装置がある。材料板の各々は一対の平行電極間に配置され、これら電極は、処理装置の処理チャンバ内に存在する好適な雰囲気で励起されてプラズマを発生する。かかるプラズマ処理装置では、エッチング均一性の程度に影響を及ぼす１つの要因は、基板付近のプラズマ密度の空間的な均一性であり、この均一性は、プラズマを発生するのに用いられる電極の構造によって決まる。固体平面電極は一様なプラズマを発生させるが、十分なガス流をもたらすことができないので、エッチング速度が許容不可能な程に低くなる可能性がある。したがって、バッチ処理チャンバの従来の固体電極は、大きな平面基板の対向する両側全体にわたって十分なプロセス均一性を与えることができなかった。両面にエッチングの均一性を与えるために、各基板の両側を囲む全ての空間位置でプラズマ密度を精密かつ正確に制御しなければならない。
【発明の開示】
【発明が解決しようとする課題】
【０００６】
したがって、各々大表面積を特徴とする平面基板の両側を一様にプラズマ処理することができるプラズマ処理装置が必要とされている。
【課題を解決するための手段】
【０００７】
本発明は、処理空間を有する真空チャンバと、処理空間を排気する真空ポートと、処理空間内にプロセスガスを導入するガスポートとを有するプラズマ処理装置を提供することによって、上記及び他の問題に取り組む。この装置はさらに、処理空間内のプロセスガスからプラズマを発生させることが可能なプラズマ励起源と、プラズマ励起源と電気的に結合する複数の電極とを有する。電極は、プラズマを用いて基板を処理するよう、処理空間内で電極間に対応する複数の処理領域を画定するように配置される。各電極は、電極を介してプロセスガス及びプラズマを送るように機能する少なくとも１つの穿孔板を有する。
【０００８】
本発明は、プラズマ処理装置を用いて、例えばセラミックス、金属、及びポリマーが挙げられるがそれらに限定されない、広範の材料から成る基板をプラズマ処理することを意図する。プラズマ処理は、エッチング、清浄、表面活性化、及び当業者にとって明らかな任意の他のタイプの表面改質から成ることができる。例えば、プラズマ処理を用いて、標準リソグラフィー法の一部として基板をエッチングし、また、基板に特徴を形成するようにエッチング処理することができる。
【０００９】
本発明の別の実施の形態では、基板をプラズマ処理する方法は、処理チャンバの内部に位置する一対の電極間に基板を配置する工程、処理チャンバ内にプロセスガスを導入する工程、及び一対の電極を励起し、処理チャンバ内でプロセスガスからプラズマを発生させる工程を有する。本方法は、処理領域の外側の位置から、電極の一方と基板との間に各々画定された処理領域の内側の一対の位置に、電極の各々の多孔盾部分を介してプロセスガス流及びプラズマを導く工程をさらに有する。
【００１０】
本発明のさらに別の実施の形態では、ポリマー基板から突出する、穿孔カス又はバリ等の比較的薄いポリマー付着領域を除去する方法が提供される。本方法は、酸素、及びガス混合物の約１０容量パーセント以下の量の三フッ化窒素を有するガス混合物を特徴とするプロセスガスを、ポリマー基板を保持する処理チャンバに供給する工程、プロセスガスにＲＦ電力を送り、プラズマを発生させる工程、及び、薄い付着ポリマー領域を除去するのに有効な時間、ポリマー基板をプラズマに曝す工程を有する。特定の実施の形態では、ＲＦ電力は、プロセスガスに４０ｋＨｚで約４，０００ワット〜約８，０００ワットの範囲で送られる。他の特定の実施の形態では、ポリマー基板は、約３０℃〜約９０℃の範囲のプロセス温度に加熱される。好ましくは、ガス混合物は、約５容量パーセント〜約１０容量パーセントの三フッ化窒素を有し、ガス混合物の残りは酸素である。
【００１１】
本発明のこれらの及び他の目的及び利点は、添付の図面及びその説明からより明らかとなろう。
【００１２】
本明細書に組み込まれるとともに本明細書の一部をなす添付の図面は、本発明の実施形態を示し、上記に挙げた本発明の概説、及び以下に挙げる詳細な説明とともに、本発明の原理を説明する役割を果たす。
【発明を実施するための最良の形態】
【００１３】
図１及び図２を参照すると、プラズマ処理装置１０は、処理チャンバ１２の周壁により囲まれた排気可能な処理空間１６にアクセスすることができる開位置と、処理空間１６が周囲環境から流体気密にシールされる閉位置との間で選択的に位置決め可能であるチャンバドア１４を有する処理チャンバ１２を備える。チャンバドア１４は、チャンバドア１４が閉位置にあるときに処理チャンバ１２の別の位置と係合するとともに、チャンバドア１４をシール係合状態に固定するラッチを有することができる。シール部材（図示せず）が、チャンバドア１４の周縁、又はチャンバドア１４が開位置にあるときに画定される処理空間１６へのアクセス開口の周りの処理チャンバ１２の一部の周縁を取り囲む。処理チャンバ１２は、アルミニウム合金又はステンレス鋼等の高真空用途に適した導電材料から成り、電気的に接地される。
【００１４】
処理チャンバ１２は、真空技術の当業者にとって明らかな１つ又は複数の真空ポンプを含み得る真空ポンプ１８によって真空ポート１９を介して排気される。プロセスガスは、処理チャンバ１２の１つの壁内を延びる入口ガスポート２１を介して、例えば１分あたり約２〜約４の標準リットルの所定流量（ｓｌｍ）で、プロセスガス源２０から処理空間１６に導入される。プロセスガス流は通常、質量流量コントローラ（図示せず）によって計測される。質量流量コントローラによって与えられるガス流量、及び真空ポンプ１８のポンピングレートは、後続するプラズマ処理が維持され得るように、プラズマ生成に適した処理圧力を与えるように調整される。
【００１５】
処理空間１６は、排気されると同時に、新鮮なガスが処理空間１６内に続けて交換されるようにプロセスガスが導入される。プラズマ処理方法の際、平面基板２６からスパッタリングされるとともにプロセスガスを消費した汚染種が、プロセスガスの流動流の一部とともに真空ポンプ１８によって処理空間１６から排気されることになる。処理チャンバ１２内でのプラズマ処理の際の作動圧は通常、約１５０ｍＴｏｒｒ〜３００ｍＴｏｒｒである。
【００１６】
本明細書に記載の平面基板２６は、当該平面基板から突出するか又は当該平面基板にエンボス加工される特徴部を有してもよく、特徴部のない平面板に限定されない。さらに、平面基板２６は、面積が矩形であることに限定されず、代わりに他の幾何学的形状を有していてもよい。
【００１７】
図１及び図２を続けて参照すると、無線周波数（ＲＦ）発生器２２のようなプラズマ励起源が複数の電極２４と電気的に結合されるとともに電極２４に電力を送り、処理空間１６内に閉じ込められたプロセスガスをイオン化するとともに解離させて、プラズマを発生及び維持する。処理チャンバ１２は、電力が供給されない接地電極としての役割を果たす。ＲＦ発生器２２は、インピーダンスマッチングデバイス、及び約４０ｋＨｚ〜約１３．５６ＭＨｚ、好ましくは約４０ｋＨｚの周波数で動作するＲＦ電源を有するが、他の周波数を用いてもよく、４０ｋＨｚで約４，０００ワット〜約８，０００ワット、又は１３．５６ＭＨｚで３００ワット〜２，５００ワットの電力である。しかし、異なる処理チャンバ構造により、異なるバイアス電力、又は直流（ＤＣ）電源の使用が可能である。コントローラ（図示せず）は、エッチングプロセスの制御を容易にするプラズマ処理装置１０の様々な構成部材に結合される。
【００１８】
ＲＦ発生器２２のＲＦ電源は、交流電極２４がともにバス接続されるとともに、同じくともにバス接続される残りの電極２４を位相から１８０゜ずれたところで電力供給するように、二重出力電源とすることができる。この構成により、交流電極が電力供給されるとともに残りの電極が接地していたいくつかの従来の設計が改善され、電力供給電極に隣接する平面基板の側に高速なエッチング速度が生成される。電極２４の双方が本発明により電力供給されるため、エッチング速度は、一対の電極２４間に配置される１つ又は複数の平面基板２６の対向する側で同様である。
【００１９】
図１及び図２の参照を続けると、プラズマ処理中、処理チャンバ１２の内部に平面基板２６を支持するラック２８が設けられている。ラック２８は位置バー３０を有し、この位置バー３０は、個々の基板ホルダ３３の各々の対向する縦縁に沿って複数のノッチ２９、３１の間に垂直方向に調整可能であり、それにより、縦寸法が異なる平面基板２６を収容するスロット２３を画定するようになっている。各平面基板２６は、ラック２８のスロット２３の１つに挿入可能である。ラック２８は、処理チャンバ１２の外側にあるときは、移動しやすいように車輪付きカート３２上に保持される。
【００２０】
車輪付きカート３２はトラック３４を有し、このトラック３４に沿って、ラック２８が水平方向に移動可能であり、トラック３４は処理チャンバ１２の内部の対応するトラック３６とほぼ同じ縦の高さにある。平面基板２６の一群がラック２８に装填された後、チャンバドア１４が開き、ラック２８は、トラック３４及び３６が位置合わせされるように位置決めされる。ラック２８は、車輪付きカート３２のトラック３４から処理チャンバ１２の内側のトラック３６に移動し、チャンバドア１４が閉じて、真空ポンプ１８により排気準備が整った密閉環境を提供する。
【００２１】
図１〜図３を参照すると、電極２４は、支持体２７によって処理チャンバ１２の天井から対応するタング２５により縦方向に懸架される。電極２４の各々は、ＲＦ発生器２２と電気的に接続してプラズマを発生するのに十分な電力を受け取る。電極２４は、処理領域３８が各隣接する一対の電極２４間に画定されるように水平方向に離間される。プラズマが各側面配置電極２４と基板２６の片側との間に存在するため、各領域３８が平面基板２６を受け入れて基板２６の対向する両側をプラズマ処理する。各側面配置電極２４の平面にほぼ平行に向いた複数の平坦な基板２６の１つが、各隣接する一対の電極２４間の領域３８に配置される。平面基板２６は電極２４と処理チャンバ１２に対して電気的に浮遊する。
【００２２】
各電極２４は、例えば、他の空間４０を装填する金属メッシュから成る、少なくとも１つの穿孔板４２を含む。各穿孔板４２は、穿孔板４２の全領域に対する穿孔板４２の通路又は孔４３の全横断面積の比によって表される気孔率を特徴とする。本発明の特定の実施形態では、各電極２４は、枠４４の一方の水平側から枠４４の対向する水平側にかけて延びる複数の垂直方向のクロスメンバ４６を有する環状の周縁枠４４を有する。１つの穿孔板４２は、各対のクロスメンバ４６間に画定された空間、及びクロスメンバ４６の、枠４４の対応する両縦側面４４ａ、４４ｂの組の先端（すなわち最前端及び最後端）間の空間に位置決めされる。
【００２３】
各穿孔板４２は、隣接する電極２４間の領域３８へ、かつ、その領域間にプロセスガス及びプラズマ種用の流路を画定する。通常、各穿孔板４２の総面積に対する各穿孔板４２の孔４３の全体的な断面積の比（すなわち開口領域比）は、約２０％以下である。好ましくは、開口領域比は、電極２４が固体電極をシミュレートするとともに、ガス流を過度に制限せずに十分なエッチング速度を与えるのに十分に固体電極に類似するように、穿孔板のメッシュサイズを変えることによって調整される。穿孔板４２のメッシュサイズは、図には概略的に示されており、説明のために誇張されている（すなわち等尺率ではない）。
【００２４】
個々の穿孔板４２のメッシュサイズは、電極４２内の位置に応じて様々であり得る。例えば、メッシュサイズは、電極２４の側面４４ａ、４４ｂに隣接した穿孔板４２に比して、電極２４の中央付近の穿孔板４２の方が大きくなり得る。このことは、電極２４の幅の両端にわたって調整すべき隣接する電極２４間の領域３８の種々の部分に対しガスコンダクタンスを可能にし、側面配置基板２６の幅の両端にわたってエッチング速度を均一にするのに有用となり得る。
【００２５】
穿孔板４２は、十分な熱及び電流を伝導するために枠４４及びクロスメンバ４６と熱的、かつ、電気的に結合する。好ましくは、穿孔板４２は、図２Ａに示すように、電極２４がその面積の両端にわたって均一な厚みを有するように枠４４及びクロスメンバ４６と同じ厚みを有する。いくつかの実施形態では、穿孔板４２は、枠４４及びクロスメンバ４６よりも薄くてもよく、穿孔板４２は、枠４４及びクロスメンバ４６の中央面と同一面内にあるように位置決めされる。
【００２６】
電極２４は、隣接する電極２４がほぼ平行に並んで離間した関係として画定された側面配置関係を有する。本発明の種々の代替的な実施形態において、本発明は、電極２４が、垂直方向、水平方向、又はその間の任意の角度で向けられ得ることを意図する。
【００２７】
図１、図２、図２Ａ、及び図３を続けて参照すると、電極２４の数は、平面基板２６の数及び処理チャンバ１２の寸法に合わせてある。処理すべき基板２６の数が数（ｎ）によって表される場合、電極２４の数は、各基板２６が一対の電極２４の側面に配置されるため、（ｎ＋１）に等しい。隣接する電極２４間の隔たりは、約６ｃｍ〜約１ｃｍの範囲とすることができるが、基板２６の厚みに応じて他の変数の間をとる場合もある。
【００２８】
電極２４の温度は、管状枠４４及びクロスメンバ４６の内側に湾曲した蛇行状通路４８内に蒸留水又は別の適した熱交換液を循環させることによって制御される。このため、熱交換液は、処理チャンバ１２の外部の供給源４５から各電極２４の蛇行状管状通路４８の入口ポート４７へ、冷媒排出口５０の出口ポート４９まで供給される。所望する効果により、液体の流量及び温度を調整することによって、熱交換液を用いて電極２４を加熱又は冷却することができる。熱は電極２４から基板２６に伝導するため、電極２４の温度の調整により、プラズマ処理の際に基板２６の温度を有利に調整することもできる。本発明のいくつかの実施形態では、熱交換液の循環は、電極２４からの過度の熱を除去することができる。
【００２９】
本発明の一態様では、電極２４の矩形寸法又は面積は、プラズマ処理される基板２６の矩形寸法又は面積よりも大きい。本発明のいくつかの実施形態では、各電極２４の矩形枠４４の長さ及び幅（すなわち外寸）は、基板２６よりも少なくとも約１インチ（２．５４センチメートル）大きい。電極２４及び基板２６の相対面積の調整は、基板の周縁のプラズマ処理が基板の中央付近のプラズマ処理と同様であることを確実にするのに役立つ。電極２４はすべて、側面配置基板２６に面する対向する矩形面の面積が等しい。
【００３０】
電極２４は、アルミニウムなどの比較的高い導電率及び熱伝導率を有する金属から形成される。基板２６に面する電極２４の側面は、非金属から成る任意の層５１により陽極酸化又は化学蒸着等の方法により被覆されてもよい。任意の非金属層５１は、プラズマの端−中央の均一性が高まると考えられる。電極２４の導電コアを被覆する非金属層５１は、約１０ミクロン（μｍ）〜約３００ミクロン（μｍ）の範囲の厚みを有し得る。例示的な被覆材料としては、酸化アルミニウム及び珪素等の耐火材料が挙げられるが、それらに限定されない。いくつかの実施形態では、電極２４の縁がプラズマ密度の局部的な変化（非金属層５１の存在によって著しく減少するか又はなくなる）をもたらすと考えられるため、非金属層５１は枠４４にのみ施され得る。本発明のいくつかの実施形態では、非金属層５１は、電極２４に対する積層として施されてもよい。非金属層５１を加えることにより、基板２６に面する、当該基板の面積にほぼ等しい領域を、電極２４が有することが可能となるとともに、端−中央の処理の均一性及びプラズマの均一性が高まる。
【００３１】
本明細書での「垂直方向（縦）」、「水平方向」等の用語の言及は、参照とするための例示としてのものであって限定するものではない。本発明の精神及び範囲から逸脱しない限り、様々な他の参照を用いることができることを理解されたい。電極２４は垂直方向に向いているものとして言及されているが、本発明は、本発明の精神及び範囲から逸脱しない限り、電極２４が水平方向に向いていてもよいことが意図される。
【００３２】
使用に際して、図１、図２、図２Ａ、及び図３を参照すると、平面基板２６は、ラック２８に装填され、処理チャンバ１２に移行され、この処理チャンバ１２はチャンバドア１４を閉めることによって密閉される。処理空間１６は、真空ポンプ１８によって装置作動圧よりも低いチャンバ圧に減圧される。真空ポンプ１８によって処理空間１６を積極的に排気しながら、プロセスガス流を導入して、通常は約１５０ｍＴｏｒｒ〜約３００ｍＴｏｒｒの範囲の適した動作圧にまでチャンバ圧を上げる。ＲＦ発生器２２は、電極２４に電源を供給するように励起され、処理空間１６内に、特に平面基板２６の１つが配置されている各対の隣接電極２４間の領域３８にプラズマを発生させる。冷媒流は、電極温度を調整するために、各電極２４の筒状枠４４及びクロスメンバ４６の内側の通路４８を介して始まる。
【００３３】
プロセスガス及びプラズマ種は、穿孔板４２を介して、隣接する電極２４間に画定された領域３８へ、かつ、その領域３８間に流れ込むとともに拡散する。同様に、プロセスガス及びプラズマは、対峙する電極２４の周縁について画定された空隙を介して領域３８に流れ込むことができる。穿孔板４２があることにより、領域３８間に、また、処理空間から最端の電極２４に関連した領域３８にかけて、プロセスガス及びプラズマ種を移動させやすくなる。平面基板２６の露出した対向面を処理（すなわち、エッチング、清浄、パターニング、改質、活性化等）するのに十分な持続時間、基板２６はプラズマに曝される。処理が完了すると、チャンバドア１４が開き、ラック２８が処理チャンバ１２から取り外され、基板２６が装脱される。
【００３４】
図４（同じ参照符号は図１〜図３と同じ特徴を指す）を参照して、かつ、本発明の他の実施形態によれば、電極２４ａは、クロスメンバ４６と枠４４との間に画定された複数の開口の各々に位置する穿孔バー又は穿孔板５０を有する。穿孔板５０は、枠４４及びクロスメンバ４６の部分に溶接されて一体構造を画定することができる。各穿孔板５０は、プロセスガスのクロスフローが生じてプラズマの均一性を向上させるように、通路又は孔５１で穿孔されている。各穿孔板５０の開口領域は約２０％未満であり、例えば、約１％未満であってもよい。好ましくは、各穿孔板５０は、電極２４ａが固体電極とさらによく類似するように枠４４及びクロスメンバ４６と同じ厚みを有する。個々の穿孔板５０の開口領域は、電極２４ａの側縁４４ａ、４４ｂ間の位置に応じて様々であり得る。例えば、開口領域は、電極２４ａの側縁４４ａ、４４ｂに隣接する穿孔板５０に比して、電極２４ａの中央付近の穿孔板５０の方が大きい。このことは、隣接する電極２４ａ間の領域３８の種々の部分に対するガスコンダクタンスを電極２４ａの幅の両端にわたって調整することを可能にし、側面配置基板２６の幅の両端にわたってエッチング速度を均一にするのに有用となり得る。
【００３５】
図５〜図７及び図８Ａを参照すると、プラズマ処理装置１０において使用するラック２８ａは、１つ又は複数の基板２６を保持するように各々構成された複数の基板ホルダ５２を有する。ラック２８ａ（処理チャンバ１２の外側にあるときは車輪付きカート３２上に保持されている）は、保持された基板２６を処理するためにラック２８（図１）のように処理チャンバ１２に挿入される。ラック２８とは対照的に、ラック２８ａは、積極的な水冷及び基板挟持を行って、プラズマ処理の際に基板２６から熱を除去するのに十分な伝熱経路を与える。トラック３４に沿った移動によって処理チャンバ１２に挿入されると、各基板ホルダ５２は一対の電極２４間に配置される。基板ホルダ５２は互いに平行に配置され、各々、支持構造５５によって共通のベース５３上に支持される。
【００３６】
個々の基板ホルダ５２は、その周囲に延びるとともに蒸留水のような熱交換液が循環し得る流体通路５８、６０を各々が有する一対の中空枠５４、５６を有する。循環熱交換液は基板ホルダ５２を冷却し、プラズマ処理の間、伝導により基板２６から熱を除去して基板２６の温度を下げる。枠５４、５６は、中央に矩形窓が画成されており、この窓にわたって、基板２６がプラズマ処理チャンバ１２の内部のプラズマに曝される。枠５４、５６は、アルミニウム等、優れた熱伝導率を有する任意の材料から形成され得る。
【００３７】
熱交換液は、枠５４の流体通路５８を介して、液体入口６２及び液体出口６４間に移される。枠５４の液体出口６４は、導管６５によって枠５６の流体通路６０の液体入口６６と接続される。流体通路６０は、基板ホルダ５２から冷却液を排出する液体出口６８を有する。結果として、枠５４及び５６は循環熱交換液を共有する。熱交換液は、冷媒マニホルド７２から延びる供給ライン７０によって枠５４の液体入口６２に供給され、排出ライン７４により排出口７６に戻される。他の基板ホルダ５２は各々、同じ形式の冷却構成を有して構成され、冷媒マニホルド７２及び排出口７６を共有する。液体入口６６、供給ライン７０、及び排出ライン７４は、例えば、可撓性のテフロン（登録商標）チューブの長さとすることができる。
【００３８】
基板ホルダ５２への冷媒液の流れは、基板２６の温度を測定することによって制御され得る。基板温度が目標温度を超える場合、冷媒液の流れが確立されて基板２６を冷却し得る。
【００３９】
中空枠５４、５６は、基板２６の外縁との挟持関係を有し、この関係は効率的な伝熱経路を与える。中空枠５４、５６の上端は、ヒンジ７８によりともに接続され、このヒンジ７８には、好ましくは、中空枠５４、５６が互いに側方、かつ、垂直方向に移動することができるように３点構造を有する。開閉バー８２（図７）により作動されるカム作用開閉装置８０が、中空枠５４、５６の下端に接続する。開閉バー８２は、枠５４、５６が離間していないほぼＬ字状の第１の状態から、枠５４、５６が分離して互いに垂直方向に離間する第２の状態に、開閉装置８０を移動させる。開閉バー８２を操作して、開閉装置８０を作動させると、支持ストッパ８３が開閉装置８０と接触するように移動可能であり、この支持ストッパ８３は、枠５４、５６を固定状態に維持するとともに、枠５４、５６間に基板２６を挿入するために開位置にあるように維持する。支持ストッパ８３は、軸を中心に回転可能に支持構造５５と接続される。
【００４０】
各基板ホルダ５２の枠５４は、複数のロケータ８４を有し、このロケータ８４は協働して、中空枠５４、５６によって保持される基板２６の位置を定める。２つのロケータ８４（図７）は、基板２６の底縁と接触するとともに、基板２６の１つの側縁と接触しているが、本発明はそのように限定されない。枠５４は、処理チャンバ１２の前部へ延びる２つのアーム８６、及び処理チャンバ１２の後部へ延びる２つのアーム８８を有する。アーム８６、８８は各々アラインメントポスト９０を有し、このアラインメントポスト９０は、別のアラインメントポスト９２とは反対方向に外向きに突出する。アーム８６、８８のアラインメントポスト９０は、基板ホルダ５２の片側の側面に位置する垂直電極２４と４つの点にて接触し、アーム８６、８８のアラインメントポスト９２は、基板ホルダ５２の対向側の側面に位置する垂直電極２４と４つの点にて接触する。接触は、基板２６と側面配置対の電極２４との間の平行度を保証するように動作する。より詳細には、アラインメントポスト９０、９２は協働して、側面配置電極２４間の中央面位置に、かつ、これら側面配置電極２４の各々によって画定された垂直面との垂直関係を保持する面内に、基板２６を位置決めする。このため、アラインメントポスト９０、９２は、基板ホルダ５２から等しい距離突出する。
【００４１】
使用に際して、図８Ａ〜図８Ｄ（同じ参照符号は図５〜図７の同じ特徴を指す）を参照して、基板２６をラック２８ａに装填する手順が説明される。最初に、ラック２８ａは処理チャンバ１２の外側にあり、車輪付きカート３２上に支持されており、基板ホルダ５２は各々閉位置にある（図８Ａに示す）。この装填位置では、開閉バー８２を用いてカム作用開閉装置８０を作動させ、このカム作用開閉装置８０が枠５４に対して側方及び垂直方向に枠５６を移動させ（図８Ｂに示す）、開位置をもたらす。枠５４、５６が開位置に保持されて、基板２６を受け入れる空隙を与えるように所定位置に支持ストッパ８３が軸を中心に回転される（図８Ｃに示す）。
【００４２】
基板２６が枠５４、５６間に位置した後、支持ストッパ８３は軸を中心に回転して初期位置に戻り、これにより、枠５４、５６が基板２６で閉じることで、優れた伝熱経路を画定するのに十分な接触状態で基板２６の周縁が枠５４、５６間に挟持されるようになっている。枠５４、５６の重さにより枠５４、５６は閉位置に維持される。基板２６が、基板ホルダ５２各々に装填され、ラック２８ａが処理チャンバ１２の内側の処理位置に位置決めされて、基板２６をプラズマ処理するようになっている。アラインメントポスト９０、９２は、各基板２６が隣接する電極２４の各々と接触する平面に対して平行な面内あるように、隣接する電極２４と接触する。上述のように、処理チャンバ１２内で発生したプラズマが基板２６の表面を処理する。
【００４３】
本発明の特定の一実施形態では、プラズマ処理は、バリ又は穿孔カス等、ポリマーの薄領域又はタブを除去するプロセスから成る。平面基板に付着したこれらの薄い付着ポリマー領域は、例えば、終わった製造工程によって生成され得る。この薄い付着ポリマー領域は、平面基板２６よりも著しく薄い。通常、薄い付着ポリマー領域は約５ミクロン未満の厚みである。したがって、プラズマ処理は、基板２６の厚みへの影響を最小限にとどめて、薄い付着ポリマー領域を効果的かつ有効に除去する。このため、プラズマは、基板２６の全体の厚みにほとんど影響を及ぼさないとともに、プラズマ処理表面にあるいかなる特徴（例えば、トレンチ及びビア又は金属化トレース）も変えることなく、プラズマ中のイオン及びラジカルが薄い付着ポリマー領域を腐食させるので、異方性エッチングプロセスによって薄い付着ポリマー領域を除去するのに十分な処理時間又は持続時間が持続する。
【００４４】
本発明の一実施形態によれば、ポリマー平面基板に付着した薄いポリマー領域をエッチングする処理方法が提供される。基板に悪影響を与えずに、典型的な厚み（例えば５ミクロン）の薄いポリマー領域を除去するのに、約８分〜約３０分の範囲の処理時間で十分である。しかし、正確な処理時間は、プラズマ処理される平面基板の数及び薄い付着ポリマー領域の厳密な厚みが挙げられるがこれらに限定されない複数の異なる変数に応じて決まるであろう。
【００４５】
電極２４に供給されるＲＦ電源（図１〜図４）は、４０ｋＨｚにて約４，０００ワット〜約８，０００ワットの範囲にある。平面ポリマー基板は、隣接する電極からの伝熱によって約３０℃〜約９０℃の範囲の温度等、室温をほぼ上回るプロセス温度に維持される。一般に、エッチング速度はプロセス温度の上昇に伴い増大するが、均一性は、プロセス温度が約９０℃を上回ると、減少し得る。いくつかのポリマーでは、基板を形成する材料は温度に敏感であるとともにプロセス温度が適当に制限されている。
【００４６】
プロセスガスは、約１５０〜約３００ｍＴｏｒｒの範囲の作動圧を与えるために、流速が全体で２ｓｌｍ〜４ｓｌｍの範囲である処理チャンバ内に導入される。プロセスガスは、三フッ化窒素（ＮＦ３）と酸素（Ｏ２）の混合物であり、三フッ化窒素はそのガス混合物の約１０容量％以下で含まれる。好ましくは、プロセスガスは、約５容量％〜約１０容量％の三フッ化窒素（ＮＦ３）と酸素（Ｏ２）であるその残り（９０容量％〜９５容量％）の混合物であり、それら２つの成分がプロセスガス混合物の全１００容量％をなす。しかし、ＮＦ２及びＯ２の相対量が一定に保たれる限り、アルゴン（Ａｒ）等の不活性ガスをプロセスガス混合物に任意選択的に添加してもよい。発生したプラズマ中にあるフッ素及び酸素のラジカル及びイオンが、消費されたプロセスガスとともに処理チャンバから排出される揮発性ガス種を形成することによって、基板表面から材料を除去し、特に、基板表面に付着しているとともに基板表面から突出している薄いポリマー領域を除去する。
【００４７】
処理方法は、多数のポリマーから成る平面基板から薄い付着ポリマー領域を除去するのに一般に適用可能であるが、ＡＢＦポリマーから成る平面基板から薄い付着ポリマー領域を除去するのに特に適用可能である。三フッ化窒素の使用により、四フッ化炭素又は他のフッ化炭化水素に依存する従来のポリマードライエッチング方法に比して向上するが、その理由は、三フッ化窒素があまり安定でなく、より溶解しやすいため、プラズマ中で発生するラジカルを劇的に増大させるからである。処理方法の特徴は、エッチングに使用されるソースガス混合物に炭素が含まれていないことである。また、薄い付着ポリマー領域は、湿式化学エッチング法に頼ることなく除去される。本発明の処理方法は、両面プリント回路基板等のエンボス板の表面から不要な薄い付着ポリマー領域を除去するのに特に適用可能であるが、その理由は、エンボス領域に金属化を施す等の後続の処理工程において、欠陥の無い表面で開始することが重要であるからである。
【００４８】
薄い付着ポリマー領域を除去するエッチングプロセスの後に、ポリマー基板表面上に残渣が存在する可能性がある。処理方法の第２の工程では、真空を壊すことなく、好ましくはプラズマを消失させることなく、残渣を除去するのに適したプロセスガスの雰囲気を提供してプラズマを発生させることができる。プロセスガスのラジカル及びイオンは塵埃と反応して、プラズマチャンバから排出される揮発性生成物を形成する。プロセスガスは、三フッ化窒素と酸素の混合物を含み、三フッ化窒素は、ガス混合物の約９０容量％以上で含まれる。例えば、残渣が珪素である状況では、エッチングに用いられる上述のガス混合物は、約９０容量％〜約９５容量％のＮＦ３及びその残り（５容量％〜１０容量％）のＯ２に変わり得る。しかし、ＮＦ２及びＯ２の相対量が一定に保たれる限り、Ａｒ等の不活性ガスをプロセスガス混合物に任意選択的に添加してもよい。
【００４９】
本発明を各種実施形態の記載により説明するとともに、これらの実施形態をかなり詳細に説明してきたが、添付の特許請求の範囲をかかる詳細に制限又は限定することは本出願人の意図ではない。さらなる利点及び修正が当業者には容易に明らかであろう。したがって、より広範な態様における本発明は、特定の詳細、代表的な装置及び方法、並びに図示するとともに説明した例示的な例に限定されない。したがって、本出願人の一般的発明概念の精神又は範囲から逸脱することなく、かかる詳細から逸脱することができる。本発明の範囲自体は、添付の特許請求の範囲によってのみ定義されるものとする。
【図面の簡単な説明】
【００５０】
【図１】本発明の一実施形態によるプラズマ処理装置の斜視図である。
【図２】図１のプラズマ処理装置の断面図である。
【図２Ａ】図２の線２Ａ−２Ａにほぼ沿った断面図である。
【図３】本発明の電極と一群の基板との関係を示す、プラズマ処理装置の一部の概略的な端面図である。
【図４】本発明による電極の他の実施形態の側面図である。
【図５】本発明の他の実施形態による、図１のプラズマ処理装置とともに使用する基板保持ラックの斜視図である。
【図６】図５のラックの基板ホルダの端面図である。
【図７】基板ホルダの１つが見られる、図５のラックの側面図である。
【図８Ａ】図５のラックに基板を装填する手順を示す、図５に示す基板ホルダの１つの端面図である。
【図８Ｂ】図５のラックに基板を装填する手順を示す、図５に示す基板ホルダの１つの端面図である。
【図８Ｃ】図５のラックに基板を装填する手順を示す、図５に示す基板ホルダの１つの端面図である。
【図８Ｄ】図５のラックに基板を装填する手順を示す、図５に示す基板ホルダの１つの端面図である。
【図１】
2007514275.tif 000003
【図２】
2007514275.tif 000004
【図２Ａ】
2007514275.tif 000005
【図３】
2007514275.tif 000006
【図４】
2007514275.tif 000007
【図５】
2007514275.tif 000008
【図６】
2007514275.tif 000009
【図７】
2007514275.tif 000010
【図８Ａ】
2007514275.tif 000011
【図８Ｂ】
2007514275.tif 000012
【図８Ｃ】
2007514275.tif 000013
【図８Ｄ】
2007514275.tif 000014
【国際調査報告】
2007514275.tif 000015
2007514275.tif 000016
2007514275.tif 000017
2007514275.tif 000018
2007514275.tif 000019
2007514275.tif 000020
2007514275.tif 000021